(57)【特許請求の範囲】
【請求項１】
装置であって、１６０マイクロ秒の短いフレーム間間隔（ＳＩＦＳ）時間と４０マイクロ秒のクリアチャンネルアセスメント（ＣＣＡ）時間に基づく開始時間に、サブ１ギガヘルツ（ＧＨｚ）ワイヤレスネットワークを介して、フレームを送信するように構成された送信機を備え、
前記開始時間はさらに、６マイクロ秒のエア伝搬時間に基づく、装置。
【請求項２】
前記開始時間はさらに、２５０マイクロ秒のクリアチャネルアセスメント（ＣＣＡ）中間時間に基づく、請求項１に記載の装置。
【請求項３】
前記開始時間はさらに、５２マイクロ秒のスロット時間に基づく、請求項１に記載の装置。
【請求項４】
前記送信機は、米国電気電子学会（ＩＥＥＥ）８０２．１１ａｈ標準に準拠する、請求項１に記載の装置。
【請求項５】
命令を記憶する非一時的なコンピュータ可読記憶デバイスであって、前記命令は、プロセッサによって実行される時に、短いフレーム間間隔（ＳＩＦＳ）時間とクリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、ここにおいて、前記ＳＩＦＳ時間は１６０マイクロ秒であり、前記ＣＣＡ時間は４０マクロ秒であり、
前記開始時間はさらに、６マイクロ秒のエア伝搬時間に基づく、非一時的なコンピュータ可読記憶デバイス。
【請求項６】
前記開始時間はさらに、２５０マイクロ秒のクリアチャネルアセスメント（ＣＣＡ）中間時間に基づく、請求項５に記載の非一時的なコンピュータ可読記憶デバイス。
【請求項７】
前記開始時間はさらに、５２マイクロ秒のスロット時間に基づく、請求項５に記載の非一時的なコンピュータ可読記憶デバイス。
【請求項８】
命令を記憶する非一時的なコンピュータ可読記憶デバイスであって、前記命令は、プロセッサによって実行される時に、クリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、ここにおいて、前記ＣＣＡ時間は４０マイクロ秒であり、
前記開始時間はさらに、６マイクロ秒のエア伝搬時間におよび短いフレーム間間隔（ＳＩＦＳ）時間に基づき、ここにおいて、前記ＳＩＦＳ時間は１６０マイクロ秒である、非一時的なコンピュータ可読記憶デバイス。
【請求項９】
サブ１ギガヘルツ（ＧＨｚ）ワイヤレスネットワークを介して、フレームを局から送信することを備える方法であって、前記フレームは、４０マイクロ秒のクリアチャネルアセスメント（ＣＣＡ）時間に基づく開始時間に送信され、
前記開始時間はさらに、１６０マイクロ秒の短いフレーム間間隔（ＳＩＦＳ）時間におよび６マイクロ秒のエア伝搬時間に基づく、方法。
【請求項１０】
フレームを生成するための手段と、
１６０マイクロ秒の短いフレーム間間隔（ＳＩＦＳ）時間と４０マイクロ秒のクリアチャンネルアセスメント（ＣＣＡ）時間に基づく開始時間に、サブ１ギガヘルツ（ＧＨｚ）ワイヤレスネットワークを介して、前記フレームを送信するための手段と、
を備え、
前記開始時間はさらに、６マイクロ秒のエア伝搬時間に基づく、装置。
【請求項１１】
前記フレームを生成するための前記手段はプロセッサを含み、前記フレームを送信するための前記手段は送信機を含む、請求項１０に記載の装置。
【発明の詳細な説明】
【優先権の主張】
【０００１】
[0001]本願は、「ＩＥＥＥ  ８０２．１１ＡＨに関するフレーム間間隔持続期間」と題され、２０１２年６月１１日に出願された米国仮特許出願番号６１／６５８，３４１と、「ＩＥＥＥ  ８０２．１１ＡＨに関するフレーム間間隔持続期間」と題され、２０１２年７月９日に出願された米国仮特許出願番号６１／６６９，４８９と、「ＩＥＥＥ  ８０２．１１ＡＨに関するフレーム間間隔持続期間」と題され、２０１２年７月３０日に出願された米国仮特許出願番号６１／６７７，３３６、および「サブ１ギガヘルツワイヤレスネットワークに関するフレーム間間隔持続期間」と題され、２０１３年５月２３日に出願された米国非仮特許出願番号１３／９０１，１９３からの優先権を主張し、各出願の内容は、その全体が、参照により組み込まれる。
【技術分野】
【０００２】
[0002]本開示は一般的に、サブ１ギガヘルツワイヤレスネットワークに関するフレーム間間隔持続期間に関する。
【背景技術】
【０００３】
[0003]技術の進歩は、より小型でよりパワフルなコンピューティングデバイスをもたらした。例えば、今日、小型で、軽量で、ユーザによって容易に持ち運ばれる携帯用ワイヤレス電話、個人用デジタル補助装置（ＰＤＡ）、およびページングデバイスといった、ワイヤレス・コンピューティング・デバイスを含む、種々の携帯用パーソナルコンピューティングデバイスが存在する。さらに具体的には、セルラー電話およびインターネットプロトコル（ＩＰ）電話のような携帯用ワイヤレス電話は、ワイヤレスネットワークを介して音声およびデータパケットを通信することができる。さらに、多くのこういったワイヤレス・コンピューティング・デバイスは、ここに組み込まれる他のタイプのデバイスを含む。例えば、ワイヤレス・コンピューティング・デバイスはまた、デジタルスチルカメラ、デジタルビデオカメラ、デジタルレコーダ、および音声ファイルプレイヤーを含むことができる。同様に、こういったワイヤレス・コンピューティング・デバイスは、インターネットにアクセスするために用いられることが可能なウェブ・ブラウザ・アプリケーションのようなソフトウェアアプリケーションを含む実行可能な命令を処理することができるプロセッサを含む。このように、これらのワイヤレス・コンピューティング・デバイスは、重要なコンピューティング機能を含むことができる。ワイヤレス・コンピューティング・デバイスの使用が増えるにしたがって、ワイヤレス通信に割り当てられる帯域幅が増加したトラヒックで渋滞することになり得る。こういった渋滞を緩和するために、１つの可能なアプローチは、ワイヤレス・コンピューティング・デバイスに以前に十分使われなかった帯域幅を割り当てることである。
【０００４】
[0004]ワイヤレスデータ通信への需要が高まるにつれて、通信システムは、産業用、科学用、および医療用（ＩＳＭ）バンド内で十分使われなかったサブ１ＧＨｚ（ギガヘルツ）スペクトラムで動作するように設計され得る。十分使われなかったサブ１ＧＨｚスペクトラムの使用に加えて、通信システムの改良されたカバレッジ範囲は、広域ベースのセンサネットワーク、センサバックホールシステム、およびワイヤレス・フィディリティー（Ｗｉ−Ｆｉ）オフローディング機能のような、新しいアプリケーションが出現するのを可能にし得る。
【発明の概要】
【０００５】
[0005]米国電気電子学会（ＩＥＥＥ）は、ワイヤレスネットワークに関連の様々な業界の仕様書を発布しており、その多くは、「ＩＥＥＥ８０２．１１」と指定されている。例えば、８０２．１１ｂ（「Ｈｉｇｈｅｒ  Ｓｐｅｅｄ  Ｐｈｙｓｉｃａｌ  Ｌａｙｅｒ  Ｅｘｔｅｎｓｉｏｎ  ｉｎ  ｔｈｅ  ２．４ＧＨｚ  Ｂａｎｄ」という表題で、第１８節（Ｃｌａｕｓｅ）に属する）は、家庭またはオフィス環境のような加入者宅内ワイヤレスネットワークで使用され得るワイヤレスネットワーク標準であり、８０２．１１ｎ（「Ｓｔａｎｄａｒｄ  ｆｏｒ  Ｉｎｆｏｒｍａｔｉｏｎ  Ｔｅｃｈｎｏｌｏｇｙ−Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ  Ａｍｅｎｄｍｅｎｔ  ５：  Ｅｎｈａｎｃｅｍｅｎｔｓ  ｆｏｒ  Ｈｉｇｈｅｒ  Ｔｈｒｏｕｇｈｐｕｔ  ２００９」という表題）は、高速無線ローカルエリアネットワーク（ＷＬＡＮ）の実装に使用され得るワイヤレスネットワーク標準である。「発展中である」ＩＥＥＥ  ８０２．１１標準は、８０２．１１ａｃ（「Ｅｎｈａｎｃｅｍｅｎｔｓ  ｆｏｒ  Ｖｅｒｙ  Ｈｉｇｈ  Ｔｈｒｏｕｇｈｐｕｔ」という表題）および８０２．１１ａｈ（「Ｓｕｂ−１  ＧＨｚ  Ｓｅｎｓｏｒ  Ｎｅｔｗｏｒｋ」という表題）を含む。ＩＥＥＥ  ８０２．１１ａｈは、無線ローカルエリアネットワーク（ＷＬＡＮ）通信のための産業科学医療用（ＩＳＭ）バンド内で１ＧＨｚ未満の搬送波周波数を使用するための標準である。ＩＥＥＥ  ８０２．１１ａｈによって未完成のいくつかの項目は、物理レイヤ（ＰＨＹ）パラメータまたは制約を含む。
【０００６】
[0006]本開示は、プロトコルデータユニット（ＰＰＤＵ）を送信することを局（例えば、送信機または送信局）に可能にするために、サブ１ＧＨｚネットワーク（例えば、ＩＥＥＥ８０２．１１ａｈ標準に適合し得るネットワーク）に関するおよび送信（例えば、ＩＥＥＥ８０２．１１ａｈ標準に準拠する送信）に関する１つまたは複数のパラメータまたは制約を提供する。１つまたは複数のパラメータまたは制約は、１つまたは複数のフレーム間間隔（タイミング）パラメータに関連し得るか、またはそれを含み得る。特定の実施例において、選択されたフレーム間間隔値は、ＩＥＥＥ  ８０２．１１ａｈシステムにおいて搬送波感知多重接続（ＣＳＭＡ）メカニズムのためのオペレーションを成功裏に達成するために必要とされる最小値であり得る。
【０００７】
[0007]１つまたは複数のパラメータまたは制約に基づいて、局（例えば、移動体通信デバイス）は、産業科学医療用（ＩＳＭ）バンド内で１ＧＨｚ未満の搬送波周波数を有する帯域幅チャネルを使用するＰＰＤＵを送信し得る。ＰＰＤＵは１つまたは複数のシンボルを含み得、および無線ローカルエリアネットワーク（ＷＬＡＮ）を介して送信され得る。チャネルは、１メガヘルツ（ＭＨｚ）帯域幅チャネル、２ＭＨｚ帯域幅チャネル、４ＭＨｚ帯域幅チャネル、８ＭＨｚ帯域幅チャネル、１６ＭＨｚ帯域幅チャネル、またはそれらの組合せを含み得る。例えば、米国において、９０２ＭＨｚ−９２８ＭＨｚ無線スペクトルのうちの２６個の１ＭＨｚ帯域幅チャネル、１３個の２ＭＨｚ帯域幅チャネル、６個の４ＭＨｚ帯域幅チャネル、３つの８ＭＨｚ帯域幅チャネル、または１つの１６ＭＨｚ帯域幅チャネルが用いられ得る。各２ＭＨｚ帯域幅チャネルの下半分は、第１次１ＭＨｚ帯域幅チャネルとして使用され得、および各２ＭＨｚ帯域幅チャネルの上半分は、第２次１ＭＨｚ帯域幅チャネルとして使用され得る。例えば、局は、１ＭＨｚ帯域幅を持つデータを送信するために第１次帯域幅チャネルを使用し得、および２ＭＨｚ帯域幅を持つデータを送信するために第１次帯域幅チャネルと第２次チャネルの両方を使用し得る。１ＭＨｚ帯域幅チャネルを使用するＡ局は、１ＭＨｚモードで動作していると言える。２ＭＨｚ帯域幅チャネルを使用するＡ局は、２ＭＨｚモードで動作していると言える。
【０００８】
[0008]特定の実施例において、装置は送信機を含む。送信機は、１６０マイクロ秒の短いフレーム間間隔（ＳＩＦＳ）時間に少なくとも部分的に基づく開始時間に、サブ１ギガヘルツ（ＧＨｚ）ワイヤレスネットワークを介して、フレームを送信するように動作可能である。
【０００９】
[0009]別の特定の実施例において、非一時的なコンピュータ可読記憶デバイスは命令を記憶する。命令は、プロセッサによって実行される時に、短いフレーム間間隔（ＳＩＦＳ）時間に基づく開始時間に、サブ１ギガヘルツ（ＧＨｚ）ワイヤレスネットワークを介して、フレームの送信を開始することをプロセッサにさせる。ＳＩＦＳ時間は１６０マイクロ秒である。
【００１０】
[0010]別の特定の実施例において、非一時的なコンピュータ可読記憶デバイスは、命令を記憶する。命令は、プロセッサによって実行される時に、クリアチャネルアセスメント（ＣＣＡ）時間に基づく開始時間に、サブ１ギガヘルツ（ＧＨｚ）ワイヤレスネットワークを介して、フレームの送信を開始することをプロセッサにさせる。ＣＣＡ時間は４０マイクロ秒である。
【００１１】
[0011]別の特定の実施例において、方法は、サブ１ギガヘルツ（ＧＨｚ）ワイヤレスネットワークを介して、フレームを局から送信することを含む。フレームは、４０マイクロ秒のクリアチャネルアセスメント（ＣＣＡ）時間に少なくとも部分的に基づく開始時間に送信される。
【００１２】
[0012]開示された実施例によって提供される利点は、サブ１ＧＨｚワイヤレスネットワークを介してデータの送信および受信を可能にする１つまたは複数のフレーム間間隔パラメータである。１つまたは複数のフレーム間間隔パラメータは、ＩＥＥＥ８０２．１１ａｈ標準のような標準に含まれ得る。
【００１３】
[0013]本開示の他の側面、利点、および特徴は、下記の項目、図面の簡単な説明、詳細な説明、および請求項を含む明細書の精査後、明確になるであろう。
【図面の簡単な説明】
【００１４】
【図１】[0014]図１は、サブ１ＧＨｚワイヤレスネットワークを介して、データを通信するシステムの例示的な実施例の図である。
【図２】[0015]図２は、サブ１ＧＨｚワイヤレスネットワークと関連する１つまたは複数のフレーム間間隔パラメータに基づくフレームの伝送と関連するタイミングブロック図である。
【図３】[0016]図３は、サブ１ＧＨｚワイヤレスネットワークを介してフレームを送信する特定の方法を示す流れ図であり、その伝送は、１つまたは複数のフレーム間間隔パラメータに基づく。
【図４】[0017]図４は、サブ１ＧＨｚワイヤレスネットワークをわたるデータを通信するように構成されるデバイスの特定の実施例のブロック図である。
【詳細な説明】
【００１５】
[0018]本開示の特定の実施例は、図面を参照して下記に記載される。説明において、共通の特徴は、図面を通じて、共通の参照番号によって示される。
【００１６】
[0019]局は、サブ１ＧＨｚネットワークを介して、データパケット（例えば、データシンボルまたはＰＰＤＵを含む）を送信し得る。データパケットの送信は、１つまたは複数のフレーム間間隔（タイミング）パラメータに基づき得る。例えば、１つまたは複数のパラメータまたは制約は、電気電子技術協会（ＩＥＥＥ）の８０２．１１ａｈ標準に含まれ得る。
【００１７】
[0020]図１は、ワイヤレスネットワーク１４０を介して、データを通信するために動作可能なシステム１００の特定な実施例の図である。システム１００は、送信機局１０６と受信機局１６０を含む。送信機局１０６は、ネットワーク１４０を介して、受信機局１６０にパケット１３０を送信するように構成され得る。単一の送信機と単一の受信機が図１に示されるが、代替の実施例は、１つより多くの送信機、１つより多くの受信機、またはその両方を含む。専用の送信機局１０６と専用の受信機局１６０が図１に示されているが、いくつかのデバイスは、パケット送信もパケット受信も両方可能であり得る（例えば、トランシーバ、又はトランシーバを含むモバイル通信デバイス）。従って、ネットワーク１４０は双方向通信をサポートする。
【００１８】
[0021]ネットワーク１４０は、ＩＥＥＥ  ８０２．１１ａｈプロトコルにしたがって動作し得る。ネットワーク１４０は、複数のチャネル（例えば複数のサブ１ＧＨｚ帯域幅チャネル）を介して通信をサポートし得る。特定の実施例において、ネットワーク１４０のチャネルの帯域幅は、ネットワーク１４０が設置される地理的領域における規制ガイドラインに依存して、１ＭＨｚから１６ＭＨｚまで変化する。例えば、チャネル帯域幅は、米国で１６ＭＨｚ、ヨーロッパで２ＭＨｚであり得、および、別の規制領域において、４ＭＨｚであり得る。データがネットワーク１４０を介して通信されるとき、複数のチャネルのそれぞれにおいて、通信に用いられる動作帯域幅は、チャネルのチャネル帯域幅より狭いか、またはそれに等しくあり得る。例えば、２ＭＨｚチャネル範囲内の動作帯域幅（例えば米国で）は、１．５ＭＨｚ、１．６６ＭＨｚ、１．７５ＭＨｚ、２ＭＨｚ、または２ＭＨｚに満たないまたは等しいいくつかの他の帯域幅であり得る。
【００１９】
[0022]送信機局１０６は、プロセッサ１０８、メモリ１１０、パケット作成／符号化モジュール１１４、ベースバンドプロセッサ１１６、および送信機１１８を含み得る。プロセッサ１０８（例えば、デジタル信号プロセッサ（ＤＳＰ）、アプリケーションプロセッサ、など）はメモリ１１０に結合され得る。特定の実施例において、プロセッサ１０８は、ネットワーク１４０を介して送信されるべきパケット１３０を生成するための論理（例えばハードウェアおよび／または回路エレメント）を含む。あるいは、パケット１３０は、パケット作成／符号化モジュール１１４（例えばハードウェア、回路エレメント、ソフトウェア、またはそれらの組合せ）によって生成され得るか、符号化され得るか、またはそれらを組合せて行われ得る。
【００２０】
[0023]メモリ１１０は、データ、命令、またはその両方を記憶する非一時的なコンピュータ可読記憶媒体であり得る。メモリ１１０は、ネットワーク１４０およびパケット１３０の送信と関連するＰＨＹパラメータ１１２を含み得る。送信機局１０６は、ＰＨＹパラメータ１１２に基づいて、ネットワーク１４０を介して、パケット１３０（例えば、プロトコルデータユニット（ＰＰＤＵ）またはデータシンボル）を送信し得る。例えば、ＰＨＹパラメータ１１２は、１つまたは複数のフレーム間間隔（タイミング）パラメータと関連付けられ得る。特定の実施例において、ＰＨＹパラメータ１１２は、メモリ１１０内のテーブルまたはアレイ内に記憶されるか、１つまたは複数の回路またはコンポーネントにおいてハードコードされるか、またはそれらを組合せて行われる。
【００２１】
[0024]メモリ１１０はまた、さらにここに記載されるような１つまたは複数の機能または方法を実行させることを、プロセッサ１０８にさせるために、プロセッサ１０８によって実行可能な命令（不図示）を含み得る。例えば、命令は、ユーザアプリケーション、オペレーティングシステム、他の実行可能な命令、またはそれらの組合せを含むか、または表し得る。さらに、メモリ１１０は、プロセッサ１０８によって生成されたか、またはパケット作成／符号化モジュール１１４によって生成されたパケット１３０を格納し得る。
【００２２】
[0025]ベースバンドプロセッサ１１６（例えば、ＩＥＥＥ  ８０２．１１ａｈベースバンドプロセッサ）は、プロセッサ１０８、パケット作成／符号化モジュール１１４、および送信機１１８に結合され得る。ベースバンドプロセッサ１１６は、クロック１０４を含み得る。送信機１１８は、フィルタ（複数）１０２（例えば１つまたは複数の無線周波数（ＲＦ）フィルタ）、媒体アクセス制御（ＭＡＣ）モジュール１５２、物理レイヤ・コンバージェンス・プロシージャ（ＰＬＣＰ）モジュール１５４を含み得る。送信機１１８は、無線でデータを送信し、および無線でデータを受信することを送信機局１０６に可能にするトランシーバを含み得る。送信機１１８（例えば、ＲＦ送信機）は、１つまたは複数のワイヤレスアンテナ１２０に結合され得る。さらに、送信機局１０６は、送信機局１０６による使用のための送信中心周波数、シンボルクロック周波数、またはそれらの組合せを生成することに使用するための１つまたは複数のオシレータを含み得る。特定の実施例において、プロセッサ１０８は、ネットワーク１４０の１つまたは複数のチャネルを介して、送信機局１０６から受信機局１６０または別のデバイスへ、（ベースバンドプロセッサ１１６、送信機１１８、およびワイヤレスアンテナ１２０を介して）パケット１３０の送信を開始し得る。ネットワーク１４０介したパケット１３０の送信は、ＩＥＥＥ８０２．１１ａｈ標準に含まれる１つまたは複数の制約に準拠し得る。例えば、送信機局１０６は、ＩＥＥＥ８０２．１１ａｈ標準によって規定されたフレーム間間隔パラメータに基づいて、パケット１３０を送信し得る。
【００２３】
[0026]受信機局１６０は、ネットワーク１４０を介して送信されるパケット１３０のような１つまたは複数のデータパケット（例えば、データシンボル）を受信するように構成された局、アクセスポイント、または別のデバイスを含み得る。受信機局１６０は、プロセッサ１６８、メモリ１７０、パケット復号モジュール１７４、ベースバンドプロセッサ１７６、および受信機１７８を含み得る。プロセッサ１６８（例えば、デジタル信号プロセッサ（ＤＳＰ）、アプリケーションプロセッサ、など）は、メモリ１７０に結合され得る。特定の実施例において、プロセッサ１６８は、ネットワーク１４０を介して、受信機局１６０で受信されたパケット１３０を処理するための論理（例えばハードウェアおよび／または回路エレメント）を含む。あるいは、パケット１３０は、パケット復号モジュール１７４（例えば、ハードウェア、回路エレメント、ソフトウェア、またはそれらの組合せ）によって復号され得る（例えば、復元される）。
【００２４】
[0027]メモリ１７０は、データ、命令、またはその両方を記憶する非一時的なコンピュータ可読記憶媒体であり得る。メモリ１７０は、ネットワーク１４０およびパケット１３０の送信の受信と関連するＰＨＹパラメータ１７２を含み得る。受信機局１６０は、ネットワーク１４０を介して、パケット１３０（例えば、プロトコルデータユニット（ＰＰＤＵ）またはデータシンボル）を受信し、およびＰＨＹパラメータ１７２に基づいて、受信されたパケット１３０を処理し得る。例えば、ＰＨＹパラメータ１７２は、１つまたは複数のフレーム間間隔（タイミング）パラメータと関連し得る。特定の実施例において、ＰＨＹパラメータ１７２は、メモリ１７０内のテーブルまたはアレイ内に格納されるか、１つまたは複数の回路またはコンポーネントにハードコードされるか、またはそれらを組合せて行われる。
【００２５】
[0028]メモリ１７０はまた、さらにここで記載されるような１つまたは複数の機能または方法を実行することをプロセッサ１６８にさせるためのプロセッサ１６８によって実行可能な命令（不図示）を含む。例えば、命令は、ユーザアプリケーション、オペレーティングシステム、他の実行可能な命令、またはそれらの組合せを含むか、または表し得る。さらに、メモリ１７０は、パケット１３０、またはプロセッサ１０８またはパケット復号モジュール１７４によって生成されたパケット１３０からの処理データを格納し得る。
【００２６】
[0029]ベースバンドプロセッサ１７６（例えば、ＩＥＥＥ  ８０２．１１ａｈベースバンドプロセッサ）は、プロセッサ１６８、パケット復号モジュール１７４、および受信機１７８に結合され得る。ベースバンドプロセッサ１７６は、クロック１６４を含み得る。受信機１７８は、フィルタ（複数）１６２（例えば、１つまたは複数のＲＦフィルタ）、媒体アクセス制御（ＭＡＣ）モジュール１９２、物理レイヤ・コンバージャンス・プロシージャ（ＰＬＣＰ）モジュール１９４を含み得る。受信機１７８は、無線でデータを送信し、および無線でデータを受信することを受信機局１６０に可能にするトランシーバを含み得る。受信機１７８（例えば、ＲＦ受信機）は、１つまたは複数のワイヤレスアンテナ１８０に結合され得る。さらに、受信機局１６０は、１つまたは複数のクロック信号または周波数信号を生成することに使用するための１つまたは複数のオシレータを含み得る。特定の実施例において、受信機局１６０は、送信機局１０６から、またはネットワーク１４０の１つまたは複数のチャネルを介する別のデバイスから、パケット１３０を（ワイヤレスアンテナ１８０、受信機１７８、およびベースバンドプロセッサ１７６を介して）受信し得る。ネットワーク１４０介するパケット１３０の送信および受信は、ＩＥＥＥ８０２．１１ａｈ標準に含まれる１つまたは複数の制約に準拠し得る。
【００２７】
[0030]動作中、送信機局１０６のプロセッサ１０８、パケット作成／符号化モジュール１１４、ベースバンドプロセッサ１１６、またはそれらの組合せは、ＰＨＹパラメータ１１２に基づいて、パケット１３０を作成（例えば、生成する）および符号化し得る。パケット１３０は、送信機１１８および１つまたは複数のワイヤレスアンテナ１２０を介して送信機局１０６によって送信され得る。パケット１３０は、ネットワーク１４０を介して、受信機局１６０に送信され得る。ネットワーク１４０介するパケット１３０の送信は、ＩＥＥＥ８０２．１１ａｈ標準に含まれる１つまたは複数の制約に準拠し得る。受信機局１６０は、１つまたは複数のワイヤレスアンテナ１８０と受信機１７８を介してパケット１３０を受信し得る。プロセッサ１６８、パケット復号モジュール１７４、ベースバンドプロセッサ１７６、またはそれらの組合せは、ＰＨＹパラメータ１７２に基づいて、パケット１３０を復号し得る。
【００２８】
[0031]システム１００は、したがって、ネットワーク１４０のサブ１ＧＨｚ帯域幅チャネルを介してデータパケット（例えば、データシンボルまたはＰＰＤＵ）を送信するように構成された送信機とそのデータパケットを受信するための受信機を提供し得る。パケット１３０は、ＩＥＥＥ８０２．１１ａｈ標準のような１つまたは複数の標準に適合、および準拠し得る。例えば、ＩＥＥＥ８０２．１１ａｈ標準は、さらにここに記載されるように、１つまたは複数のフレーム間間隔パラメータを含み得る。
【００２９】
[0032]フレーム間間隔（タイミング）パラメータ
[0033]フレーム間間隔（例えば、２つのフレーム間の間隔値）パラメータは、クリアチャネルアセスメント（ＣＣＡ）時間、ＣＣＡ中間時間(mid time)、エア伝搬時間、スロット時間、および短いフレーム間間隔（ＳＩＦＳ）期間を含み得る。１つまたは複数のパラメータのために使用され得る例示的な値は、表１−フレーム間間隔パラメータ内に提供される。表１において、例示的な値は数マイクロ秒（ＵＳ）の単位である。
【００３０】
[0034]表１−フレーム間間隔パラメータ
【表１】
0006258304.tif 000002
【００３１】
[0035]スロット時間とＳＩＦＳ時間は、図２に示されたように、例示的なタイミングインターバルに部分的に基づいて計算され得る。図２を参照して、ネットワーク（例えば、図１のネットワーク１４０）と関連する１つまたは複数のフレーム間間隔パラメータに基づいて、フレーム（例えば、ＰＰＤＵ、データシンボル、パケット１３０、またはそれらの組合せを含む）の送信と関連するタイミング図２００が示される。タイミング図２００の１つ又は複数の側面は、図１のＰＨＹパラメータ１１２、１７２のような１つまたは複数のＰＨＹパラメータまたは制約に基づく。例えば、図２は、搬送波感知多重アクセス（ＣＳＭＡ）通信に関する様々なタイミング期間を定義する。タイミング図２００に基づいて、送信されたパケットのフレーム（例えば、ＰＰＤＵ、データシンボル、またはそれらの組合せを含む）の送信は、分散型コーディネーション機能（ＤＣＦ）フレーム間間隔（ＤＩＦＳ）期間および第１のバックオフスロット期間を含むタイミングパラメータに基づいて制御される。ＤＩＦＳ期間は、送信機局１０６が、媒体がフレームの送信を開始する前に継続的にアイドルであると判断する間の時間持続期間を含む。送信機局１０６が、媒体はＤＩＦＳ期間の間中継続的にアイドルではないと判断する場合、送信機局１０６は、媒体のビジーまたはアイドル状態をモニタすることを継続する。媒体がＤＩＦＳ期間の間アイドルであると判断した後、送信機局１０６は、第１のバックオフスロット期間の間フレームの送信を延期する。ＤＩＦＳ期間は、ＳＩＦＳ期間とスロット時間期間の２倍の合計を含む。アクセスポイント（例えば、送信機局１０６）は、媒体が、フレームを送信する前に、ＤＩＦＳ期間の代わりに、ポイント調整機能（ＰＣＦ）フレーム間間隔（ＰＩＦＳ）期間の間継続的にアイドルであると判断し得る。ＰＩＦＳ期間は、ＳＩＦＳ期間とスロット時間期間の和を含む。ＰＩＦＳ期間は、ＤＩＦＳ期間より短く、アクセスポイントに他のデバイスより大きい送信するための優先度を与える。
【００３２】
[0036]ＳＩＦＳ期間は、フレームを受信することと肯定応答（ＡＣＫ）を送信することの間の時間持続期間を含む。例えば、受信機局１６０は、フレームを受信し得、そしてＡＣＫを送信する前に、ＳＩＦＳ期間の間待ち得る。ＳＩＦＳ期間は、処理およびターンアラウンド遅延を含む。例えば、ＳＩＦＳ期間は、受信（Ｒｘ）無線周波数（ＲＦ）遅延、ＲＸ  物理レイヤ・コンバージャンス・プロシージャ（ＰＬＣＰ）遅延、媒体アクセス制御（ＭＡＣ）処理遅延、およびＲｘ  送信（Ｔｘ）ターンアラウンド時間を含む。Ｒｘ  Ｔｘターンアラウンド時間は、Ｔｘ  ＰＬＣＰ遅延、Ｒｘ  Ｔｘ切り替え時間、Ｔｘ  ランプオンタイム、およびＴｘ  ＲＦ遅延を含む。
【００３３】
[0037]スロット時間は、処理、ターンアラウンド、およびエア伝搬時間を含む。例えば、スロット時間は、エア伝搬時間、ＭＡＣ処理遅延、およびＲｘＴｘターンアラウンド時間を含む。ＩＥＥＥ  ８０２．１１ａｈは、スロット同期される任意の２つの局（すなわち、最も長距離が許容される局）の間の最大距離を規定し得る。エア伝搬時間（表１にマイクロ秒で示される）は、スロット同期される最も長距離が許容される局の間の距離を横断するための信号に関する時間の合計の２倍（すなわち、ラウンドトリップ伝搬時間）である。スロット時間はまた、クリアチャネルアセスメント（ＣＣＡ）時間を含む。
【００３４】
[0038]ＣＣＡ時間は、送信機局１０６のＣＣＡメカニズムが、媒体がビジーかアイドルかを判断するために、各タイムスロット内で媒体にアクセスする時間持続期間（表１にマイクロ秒で示される）を含む。特定の実施例において、ＣＣＡ時間は、送信機局１０６が、第１次帯域幅チャネルがビジーかアイドルかを判断するために、各タイムスロット内で第１次帯域幅チャネルにアクセスする時間持続期間に相当し得る。この実施例において、ＣＣＡ中間時間は、送信機局１０６のＣＣＡメカニズムが、第２次帯域幅チャネルがビジーかアイドルかを判断するために、各タイムスロット内で第２次帯域幅チャネルにアクセスする時間持続期間（表１にマイクロ秒で示される）を含む。
【００３５】
[0039]特定の実施例において、送信機局１０６は、１つまたは複数のフレーム間タイミングパラメータに基づいて、データシンボルを送信し得、そこで、データシンボルは、１つまたは複数の帯域幅チャネル（例えば、第１次帯域幅チャネル、または第１次帯域幅チャネルと第２次帯域幅チャネル）を介して送信される。
【００３６】
[0040]フレーム間間隔（例えば、２つのフレームの間の間隔値）は、１６０マイクロ秒のＳＩＦＳ時間、５２マイクロ秒のスロット時間、４０マイクロ秒のＣＣＡ時間、２５０のＣＣＡ中間時間、６マイクロ秒のエア伝搬時間、またはそれらの組合せを含むパラメータの組合せに基づき得る。
【００３７】
[0041]特定の実施例において、ＳＩＦＳ時間、スロット時間、またはその両方は、局（例えば、送信機局１０６、受信機局１６０）によって受信され得るか、予めセットされ得るか、局によって決定されおよびメモリに格納され得るか、またはそれらを組合せて行われ得る。
【００３８】
[0042]ＳＩＦＳ時間とスロット時間は、図２に示されるように、例示的なタイミングインターバルに基づいて計算され得る。例えば、ＳＩＦＳ時間は、図２のＤ１、Ｍ１、およびＲｘ／Ｔｘの合計であり得、そこで、Ｄ１は、Ｒｘ  ＲＦ遅延を表し、Ｍ１は、ＭＡＣ処理遅延を表し、およびＲｘ／Ｔｘは、Ｒｘ／Ｔｘターンアラウンド時間を表す。別の例として、スロット時間は、図２のＤ２、ＣＣＡｄｅｌ、Ｍ２、およびＲｘ／Ｔｘの合計であり得、そこで、Ｄ２は、Ｄ１とエア伝搬時間の合計を表し、ＣＣＡｄｅｌは、ＣＣＡ時間とＤ１の間の差異を表し、およびＭ２はＭＡＣ処理遅延を表す。従って、スロット時間は、エア伝搬時間、ＣＣＡ時間、ＭＡＣ処理遅延、およびＲｘ／Ｔｘターンアラウンド時間の合計であり得る。Ｒｘ／Ｔｘターンアラウンド時間は、Ｔｘ  ＰＬＣＰ遅延、Ｒｘ／Ｔｘ切り替え時間、Ｔｘランプオンタイム、およびＴｘ  ＲＦ遅延の合計であり得る。
【００３９】
[0043]ＳＩＦＳ時間とスロット時間は、エア伝搬時間、Ｒｘ  ＰＬＣＰ遅延、ＭＡＣ処理遅延、Ｔｘ  ＰＬＣＰ遅延、Ｔｘランプオンタイム、Ｒｘ／Ｔｘ切り替え時間、Ｔｘ  ＲＦ遅延、Ｒｘ  ＲＦ遅延、またはＣＣＡ時間と関連する１つまたは複数の値と仮定のような１つまたは複数の値と仮定に基づいて計算され得る。
【００４０】
[0044]フレーム間間隔パラメータの組み合わせの例示的な値は、表２と３を参照して提供される。
【００４１】
[0045]表２−ＳＩＦＳ
【表２】
0006258304.tif 000003
【００４２】
[0046]表３−スロット時間
【表３】
0006258304.tif 000004
【００４３】
[0047]特定の実施例において、ＩＥＥＥ  ８０２．１１ａｈは、スロット同期される任意の２つの局（すなわち、最も長距離が許容される局）の間の９００メートルの最大距離を規定し得る。信号がマイクロ秒につきおおよそ３００メートルで伝搬すると仮定すると、本実施例におけるエア伝搬時間は、およそ６マイクロ秒（すなわち、２×（マイクロ秒につき９００メートル／３００メートル）であり得る。
【００４４】
[0048]Ｒｘ  ＰＬＣＰ遅延（ａＲｘＰＬＣＰＤｅｌａｙ）、ＭＡＣ処理遅延（ａＭＡＣＰｒｏｃｅｓｓｉｎｇＤｅｌａｙ）、およびＴｘ  ＰＬＣＰ遅延（ａＴｘＰＬＣＰＤｅｌａｙ）は、ベースバンドプロセッサ（例えば、図１のベースバンドプロセッサ１１６または図１のベースバンドプロセッサ１７６のようなＩＥＥＥ  ８０２．１１ａｈベースバンドプロセッサ）と関連する第１のデジタルクロックレートに依存し得るデジタル処理遅延を含む。Ｒｘ  ＰＬＣＰ遅延は、ＰＬＣＰモジュール（例えば、ＰＬＣＰモジュール１９４）が、受信パスからＭＡＣモジュール（例えば、ＭＡＣモジュール１９２）に受信されたフレームの最後のビットを運ぶために要し得る時間持続期間である。Ｔｘ  ＰＬＣＰ遅延は、ＰＬＣＰモジュール（例えば、ＰＬＣＰモジュール１５４）が、ＭＡＣモジュール（例えば、ＭＡＣモジュール１５２）から送信データパスにシンボルを運ぶために要し得る時間持続期間である。ＭＡＣ処理遅延は、ＭＡＣモジュールの処理遅延を表し得る。例えば、ＭＡＣ処理遅延は、ＭＡＣモジュール（例えば、ＭＡＣモジュール１５２、ＭＡＣモジュール１９２、またはその両方）が、ＰＬＣＰモジュール（例えば、ＰＬＣＰモジュール１５４、ＰＬＣＰモジュール１９４、またはその両方）への、および、からの通信を処理するのに要し得る最大持続期間である。
【００４５】
[0049]第１のデジタルクロックレート（例えば、ＩＥＥＥ８０２．１１ａｈ標準によって規定されるような）は、特定の係数（例えば１０）によってダウンクロックされる第２のデジタルクロックレート（例えば、ＩＥＥＥ  ８０２．１１ｎ／ａｃベースバンドプロセッサと関連する）と等しくなり得る。第１のデジタルクロックレートと関連するデジタル処理遅延（例えば、ａＲｘＰＬＣＰＤｅｌａｙ、ａＭＡＣＰｒｏｃｅｓｓｉｎｇＤｅｌａｙ、およびａＴｘＰＬＣＰＤｅｌａｙ値）は、ダウンクロック係数（すなわち、１０）によって、第２のデジタルクロックレートと関連するデジタル処理遅延を乗じることによって決定され得る。特定の実施例において、第２のデジタルクロックレートと関連するａＲｘＰＬＣＰＤｅｌａｙは、１２．５マイクロ秒であり得、および第２のデジタルクロックレートと関連するａＭＡＣＰｒｏｃｅｓｓｉｎｇＤｅｌａｙとａＴｘＰＬＣＰＤｅｌａｙは、それぞれ１マイクロ秒であり得る。本実施例において、第１のデジタルクロックレートと関連するａＲｘＰＬＣＰＤｅｌａｙは、１２５マイクロ秒（すなわち、１２．５×１０）であり得、および第１のデジタルクロックレートと関連するａＭＡＣＰｒｏｃｅｓｓｉｎｇＤｅｌａｙとａＴｘＰＬＣＰＤｅｌａｙは、それぞれ１０マイクロ秒（すなわち、１×１０）であり得る。
【００４６】
[0050]表３は、スロット時間を決定するために用いられ得る例示的な値を含む。スロット時間は、ＭＡＣ計算が、送信に先立って（例えば、より前に）送信機局１０６によって行われ得るので、ゼロのａＭＡＣＰｒｏｃｅｓｓｉｎｇＤｅｌａｙに基づいて決定され得る。スロット時間は、ゼロのａＴｘＰＬＣＰＤｅｌａｙに基づいて決定され得る。
【００４７】
[0051]Ｔｘ  ランプオンタイム（ａＴｘＲａｍｐＯｎＴｉｍｅ）とＲｘ  Ｔｘ切り替え時間（ａＲｘＴｘＳｗｉｔｃｈＴｉｍｅ）は、ＩＥＥＥ  ８０２．１１ｎ／ａｃによって規定されたのと同じであると仮定され得る。ＩＥＥＥ  ８０２．１１ｎ／ａｃによって規定されたのと同じフィルタ順序を仮定するＴｘ  ＲＦ遅延（ａＴｘＲＦＤｅｌａｙ）とＲｘＲＦ遅延（ａＲｘＲＦＤｅｌａｙ）は、ＩＥＥＥ  ８０２．１１ｎ／ａｃと比較した帯域幅スケーリング（例えば、２ＭＨｚ  ＩＥＥＥ  ８０２．１１ａｈの帯域幅、対、２０ＭＨｚ  ＩＥＥＥ  ８０２．１１ｎ／ａｃの帯域幅に基づく１０ｘ）に起因して増加し得る。さらに、１ＭＨｚモードで動作する局は、２ＭＨｚモードで動作するときと同じフィルタ（例えば、フィルタ（複数）１０２またはフィルタ（複数）１６２）を使用し得る。より狭いフィルタが１ＭＨｚモードで使用される場合、より狭いフィルタを使用することと関連するより長いフィルタ遅延が、１ＭＨｚモードのより小さいデジタル遅延によって相殺され得る。
【００４８】
[0052]ＣＣＡ時間とＣＣＡ中間時間は、ベースバンドプロセッサ（例えば、ＩＥＥＥ  ８０２．１１ａｈベースバンドプロセッサ）と関連する第１のデジタルクロックレートに依存し得る。１０のダウンクロック係数に基づいて、ＩＥＥＥ  ８０２．１１ｎ／ａｃによって規定されたＣＣＡ時間とＣＣＡ中間時間は１０倍され得る。例えば、ＣＣＡ時間は４０マイクロ秒（すなわち、４ｘ１０）であり得、およびＣＣＡ中間時間は２５０マイクロ秒（すなわち、２５ｘ１０）であり得る。４０マイクロ秒のＣＣＡ時間は、第１次帯域幅チャネルを占める信号の存在の９０％を上回る検出率を達成するのに十分な長さであり得る。２５０マイクロ秒のＣＣＡ中間時間は、第２次帯域幅チャネルを占める信号の存在の９０％を上回る検出率を達成するのに十分な長さであり得る。
【００４９】
[0053]表２に例示されたように、ＳＩＦＳ時間は、ダウンクロック係数に基づいて計算された例示的なＳＩＦＳ時間に近いシンボル時間（例えば４０マイクロ秒）の倍数であり得る。例えば、ＳＩＦＳ時間は、１５６マイクロ秒のＳＩＦＳ時間ではなく１６０マイクロ秒であり得る。
【００５０】
[0054]システム１００は、したがって、ネットワーク１４０のサブ１ＧＨｚ帯域幅チャネルを介したデータパケット（例えば、データシンボルまたはＰＰＤＵ）を送信するように構成された送信機およびデータパケットを受信するための受信機を含み得る。パケットは、ＩＥＥＥ８０２．１１ａｈ標準のような１つまたは複数の標準に適合、および準拠し得る。例えば、ＩＥＥＥ８０２．１１ａｈ標準は、さらにここに記載されるように、１つまたは複数のフレーム間間隔パラメータを規定し得る。
【００５１】
[0055]ＩＥＥＥ８０２．１１ａｃ標準に準拠するワイヤレスローカルエリアネットワーク（ＷＬＡＮ）は高い周波数帯（例えば、５ＧＨｚ）で動作し得、および１ギガビット毎秒（Ｇｂｐｓ）超に及ぶデータレートを提供し得る。しかし、ＩＥＥＥ８０２．１１ａｃ標準に準拠するＷＬＡＮの動作の距離は、動作の高い周波数に起因して比較的短くなり得る。動作の距離は、動作周波数を低くすることによって拡張され得る。しかし、より低い動作周波数は、より低いデータレートをもたらし得る。例えば、ＩＥＥＥ８０２．１１ａｈ標準に準拠するＷＬＡＮは、サブ１ＧＨｚ周波数帯で動作し得、そしてより長い動作の距離を持ち得るが、同様にＩＥＥＥ８０２．１１ａｃ標準に準拠するＷＬＡＮより低いデータレートを有し得る。より速度の遅いクロックレートは、動作のより長い距離をサポートし得、およびより狭い帯域幅チャネルを用いる通信を同じくサポートし得る。例えば、ＩＥＥＥ８０２．１１ａｈ標準と関連する第１クロックレートは、ＩＥＥＥ８０２．１１ａｃ標準と関連する第２クロックレートより低くなり得る。ＩＥＥＥ８０２．１１ａｈ標準と関連するより速度の遅いクロックレートは、ＩＥＥＥ８０２．１１ａｃ標準に準拠するＷＬＡＮと比較してＩＥＥＥ８０２．１１ａｈ標準に準拠するＷＬＡＮの動作のより長い距離をサポートし得る。より速度の遅いクロックレートはまた、８０２．１１ａｃ標準に準拠するＷＬＡＮと比較して、８０２．１１ａｈ標準に準拠するＷＬＡＮにおいて、より狭い帯域幅チャネルを使用する通信をサポートし得る。
【００５２】
[0056]図３を参照して、サブ１ギガヘルツワイヤレスネットワークを介してフレームを送信する方法の特定の例示的な実施例が示される。例えば、フレームは、図１のパケット１３０を含み得る。
【００５３】
[0057]方法３００は、３０２において、局で、フレームを生成することを含み得る。例えば、局は、図１の送信機局１０６を含み得、およびフレームは、図１のパケット１３０を含み得る。例示するために、送信機局１０６は、ネットワーク１４０を介してパケット１３０を送信し得、そこで、パケット１３０は、ＰＨＹパラメータ１１２に基づいて決定される開始時間に送信される。
【００５４】
[0058]方法３００はまた、３０４において、サブ１ＧＨｚワイヤレスネットワークを介してフレームを、局から、送信することを含む。フレームは、開始時間に送信され得る。
【００５５】
[0059]例えば、３０６において、開始時間は、おおよそ１６０マイクロ秒の短いフレーム間間隔（ＳＩＦＳ）時間に少なくとも部分的に基づき得る。
【００５６】
[0060]別の例として、３０８において、開始時間は、おおよそ５２マイクロ秒のスロット時間に少なくとも部分的に基づき得る。
【００５７】
[0061]別の例として、３１０において、開始時間は、おおよそ４０マイクロ秒のクリアチャネルアセスメント（ＣＣＡ）時間に少なくとも部分的に基づき得る。
【００５８】
[0062]別の例として、３１２において、開始時間は、おおよそ２５０マイクロ秒のＣＣＡ中間時間に少なくとも部分的に基づき得る。
【００５９】
[0063]別の例として、３１４において、開始時間は、おおよそ６マイクロ秒のエア伝搬時間に少なくとも部分的に基づき得る。
【００６０】
[0064]特定の実施例において、方法３００は、３０６−３１４のうちの１つまたは複数を含み得る。例えば、開始時間は、３０６においておおよそ１６０マイクロ秒のＳＩＦＳ時間、３０８において、おおよそ５２マイクロ秒のスロット時間、３１０において、おおよそ４０マイクロ秒のＣＣＡ時間、３１２において、おおよそ２５０マイクロ秒のＣＣＡ中間時間、３１４において、おおよそ６マイクロ秒のエア伝搬時間、またはそれらの組合せに少なくとも部分的に基づき得る。
【００６１】
[0065]図４は、サブ１ＧＨｚネットワークを使用してデータを送信または受信するように構成されたデバイス４００（例えば、通信デバイス）の特定の実施例のブロック図である。デバイス４００は、ワイヤレス電子デバイスであり得、およびメモリ４３２に結合された、デジタル信号プロセッサ（ＤＳＰ）のような、プロセッサ４１０を含み得る。例えば、デバイス４００は、図１の送信機局１０６、図１の受信機局１６０、またはその両方を含み得る。メモリ４３２は、図１のメモリ１１０、図１のメモリ１７０、またはその両方を含み得る。
【００６２】
[0066]プロセッサ４１０は、メモリ４３２に格納されたソフトウェア４６６（例えば、１つまたは複数の命令のプログラム）を実行するように構成され得る。例えば、プロセッサ４１０は、図１のプロセッサ１０８、図１のプロセッサ１６８、またはその両方を含み得る。特定の実施例において、プロセッサ４１０は、図３の方法３００の少なくとも１部分にしたがって動作するように構成され得る。メモリ４３２はまた、ＰＨＹパラメータ４６８を含み得る。例えば、ＰＨＹパラメータ４６８は、図１のＰＨＹパラメータ１１２、図１のＰＨＹパラメータ１７２、またはその両方を含み得る。ＰＨＹパラメータ４６８は、表１−３に例示された１つまたは複数のパラメータ値を含み得る。１つ又は複数のＰＨＹパラメータ４６８は、１つまたは複数のデータパケット（例えば、１つまたは複数のデータシンボル）の送信または受信と共にデバイス４００によって用いられ得る。
【００６３】
[0067]特定の実施例において、プロセッサ４１０は、メモリ４３２のように、非一時的なコンピュータ可読媒体に記憶されたコンピュータが実行可能な命令（例えば、ソフトウェア４６６）を実行するように構成され得る。命令は、図３の方法３００の少なくとも１部分を実行することを、プロセッサ４１０のようなコンピュータにさせるために実行可能である。例えば、コンピュータが実行可能な命令は、プロセッサにデータパケット（例えば、ＰＰＤＵ、データシンボル、フレーム、または図１のパケット１３０）を生成または処理させるために実行可能であり得る。コンピュータが実行可能な命令（例えば、ソフトウェア４６６）はさらに、サブ１ＧＨｚ帯域幅チャネル（例えば、図１のネットワーク１４０の）を介して、データパケットの送信を開始すること、または受信することをプロセッサ４１０にさせるために実行可能である。
【００６４】
[0068]プロセッサ４１０は、符号器４５２と復号器４５４を含み得る。例えば、符号器４５２と復号器４５４は、図１のパケット作成符号化モジュール１１４とパケット復号モジュール１７４をそれぞれ含み得る。符号器４５２と復号器４５４は、プロセッサ４１０に含まれているように図４に示されているが、符号器４５２、復号器４５４、またはそれらの組合せは、デバイス４００の１つまたは複数のベースバンドプロセッサ４８０のような１つまたは複数の他のコンポーネントに含まれるか、または結合され得る。
【００６５】
[0069]特定の実施例において、ベースバンドプロセッサ４８０は、ＩＥＥＥ８０２．１１ａｈ標準に準拠して動作するように構成される第１のベースバンドプロセッサを含み得る。例えば、ベースバンドプロセッサ４８０は、図１のベースバンドプロセッサ１１６、図１のベースバンドプロセッサ１７６、またはその両方を含み得る。特定の実施例において、ベースバンドプロセッサ４８０は、別の標準 （例えば、ＩＥＥＥ  ８０２．１１ｎ／ａｃ標準）に準拠して動作するように構成される第２のベースバンドプロセッサを含み得る。１つ又は複数のフレーム間間隔パラメータは、デジタル処理遅延（例えば、Ｒｘ  ＰＬＣＰ遅延、ＭＡＣ処理遅延、Ｔｘ  ＰＬＣＰ遅延、またはそれらの組合せ）に部分的に基づいて決定され得る。デジタル処理遅延は、クロックレートに基づき得る。特定の実施例において、第１のベースバンドプロセッサと関連する第１クロックレートは、特定の係数（例えば１０）によってダウンクロックされた第２のベースバンドプロセッサと関連する第２クロックレートに等しくなり得る。この実施例において、ＩＥＥＥ８０２．１１ａｈ標準と関連する第１のデジタル処理遅延（例えば、Ｒｘ  ＰＬＣＰ遅延）は、ダウンクロック係数（すなわち、１０）を、ＩＥＥＥ  ８０２．１１ｎ／ａｃ標準と関連する第２デジタル処理遅延（例えば、１２．５マイクロ秒のＲｘ  ＰＬＣＰ遅延）に掛けることによって決定され得る。ベースバンドプロセッサ４８０は、プロセッサ４１０、符号器４５２、復号器４５４、送信機４４０、受信機４４６、またはコーダ／復号器（ＣＯＤＥＣ）４３４のようなデバイス４００の１つまたは複数のコンポーネントに含まれるか、または結合され得る。
【００６６】
[0070]カメラインターフェース４９６は、プロセッサ４１０に結合され得、およびビデオカメラ４９８のようなカメラに同様に結合され得る。ディスプレーコントローラ４２６は、プロセッサ４１０とディスプレーデバイス４２８に結合され得る。ＣＯＤＥＣ４３４はまたプロセッサ４１０に結合され得る。スピーカー４３６とマイクロフォン４３８は、ＣＯＤＥＣ４３４に結合され得る。デバイス４００はまた、デバイス４００に含まれるかまたは結合される１つまたは複数のコンポーネントに電力を提供するように構成された電源４４４を含むか、またはそれに結合され得る。
【００６７】
[0071]送信機４４０は、１つまたは複数のワイヤレスアンテナ４４２に結合され得る。例えば、ワイヤレスアンテナ４４２は、図１のワイヤレスアンテナ１２０、図１のワイヤレスアンテナ１８０、またはその両方を含み得る。送信機４４０は、図１の送信機１１８を含み得る。受信機４４６はまたワイヤレスアンテナ４４２に結合され得る。例えば、受信機４４６は、図１の受信機１７８を含み得る。
【００６８】
[0072]特定の実施例において、プロセッサ４１０、ディスプレーコントローラ４２６、メモリ４３２、コーデック４３４、ベースバンドプロセッサ４８０、カメラインターフェース４９６、受信機４４６、送信機４４０、またはそれらの組合せは、システム・イン・パッケージまたはシステム・オン・チップデバイス４２２に含まれる。特定の実施例において、インプットデバイス４３０と電源４４４は、システム・オン・チップデバイス４２２に結合される。さらに、特定の実施例において、図４に示されるように、ディスプレーデバイス４２８、インプットデバイス４３０、スピーカー４３６、マイクロフォン４３８、ワイヤレスアンテナ４４２、ビデオカメラ４９８、および電源４４４は、システム・オン・チップ・デバイス４２２の外部にある。特定の実施例において、１つまたは複数のディスプレーデバイス４２８、インプットデバイス４３０、スピーカー４３６、マイクロフォン４３８、ワイヤレスアンテナ４４２、ビデオカメラ４９８、および電源４４４は、インターフェースまたはコントローラのようなシステム・オン・チップ・デバイス４２２のコンポーネントに結合され得る。
【００６９】
[0073]１つまたは複数の記載された実施例を併用して、フレームを生成するための手段を含む装置が開示される。フレームを生成するための手段は、フレームまたはいずれそれらの組合せを生成するように構成された図１のプロセッサ１０８、パケット作成／符号化モジュール１１４、ベースバンドプロセッサ１１６、図４のプロセッサ４１０、符号器４５２、ベースバンドプロセッサ４８０、１つまたは複数の他のデバイスまたは回路を含み得る。
【００７０】
[0074]装置はまた、１６０マイクロ秒の短いフレーム間間隔（ＳＩＦＳ）時間に少なくとも部分的に基づいて、開始時間にサブ１ＧＨｚワイヤレスネットワークを介してフレームを送信するための手段を含み得る。フレームを送信するための手段は、サブ１ＧＨｚワイヤレスネットワークを介してフレームを送信するように構成された図１のベースバンドプロセッサ１１６、送信機１１８、ワイヤレスアンテナ１２０、図４のベースバンドプロセッサ４８０、送信機４４０、ワイヤレスアンテナ４４２、１つまたは複数の他のデバイスまたは回路、または任意のそれらの組合せを含み得る。
【００７１】
[0075]１つ又は複数の開示された実施例は、通信デバイス、固定位置データユニット、モバイル位置データユニット、モバイル電話、セルラー電話、衛星電話、コンピュータ、タブレット、ポータブルコンピュータ、またはデスクトップコンピュータを含み得るデバイス４００のようなシステムまたは装置に実装され得る。さらに、デバイス４００は、セットトップボックス、エンターテーメントユニット、ナビゲーションデバイス、パーソナル・デジタル・アシスタント（ＰＤＡ）、モニタ、コンピュータモニタ、テレビジョン、チューナ、無線、衛星ラジオ、音楽プレイヤー、デジタル音楽プレイヤー、ポータブル音楽プレイヤー、ビデオプレイヤー、デジタル・ビデオ・プレイヤー、デジタル・ビデオ・ディスク（disc）（ＤＶＤ）プレイヤー、ポータブル・デジタル・ビデオ・プレイヤー、データまたはコンピュータ命令を格納または検索する任意の他のデバイス、またはそれらの組合せを含み得る。別の例示的な、非限定的な例として、システムまたは装置は、モバイル電話、ハンドヘルドパーソナル通信システム（ＰＣＳ）ユニットのような遠隔ユニット、パーソナルデータアシスタント、グローバル測位システム（ＧＰＳ）対応デバイス、ナビゲーションデバイスのようなポータブルデータユニット、メーター読取り機器のような固定位置データユニット、またはデータまたはコンピュータ命令を格納または検索する任意の他のデバイス、または任意のそれらの組合せを含み得る。
【００７２】
[0076]図１−４のうちの１つまたは複数は、本開示の教示にしたがって、システム、装置、および／または方法を示すが、本開示は、これらの例示的なシステム、装置、および／または方法に限定されない。本開示の実施例は、プロセッサとメモリを含む集積回路を含む任意のデバイスにおいて、適切に用いられ得る。
【００７３】
[0077]当業者はさらに、ここで開示された実施例に関連して記載された種々の実例となる論理ブロック、配位、モジュール、回路、およびアルゴリズムステップは、プロセッサによって実行される電子機器、コンピュータソフトウェアまたはそれらの組合せとして実施され得ることを理解するだろう。種々の例示的なコンポーネント、ブロック、配位、モジュール、回路、およびステップは、一般的にそれらの機能の側面から上記で説明されてきた。こういった機能が、ハードウェアまたはプロセッサによって実行可能な命令として実施されるかどうかは、全体のシステムに課せられた特定のアプリケーションおよび設計の制限に依存する。当業者は、それぞれの特定のアプリケーションに関して、様々な点で記載された機能を実施し得るが、こういった実施の決定は、本開示の範囲から逸脱させる物として解釈されることはない。
【００７４】
[0078]ここに記載された実施例に関連して説明された方法またはアルゴリズムのステップは、ハードウェアにおいて直接、プロセッサによって実行されるソフトウェアモジュールにおいてまたはその２つの組合せにおいて具体化され得る。ソフトウェアモジュールは、ランダムアクセスメモリ（ＲＡＭ）、フラッシュメモリ、読み取り専用メモリ（ＲＯＭ）、プログラム可能な読み取り専用メモリ（ＰＲＯＭ）、消去可能なプログラム可能な読み取り専用メモリ（ＥＰＲＯＭ）、電気的に消去可能なプログラム可能な読み取り専用メモリ（ＥＥＰＲＯＭ）、レジスタ、ハードディスク(disk)、リムーバブル・ディスク(disk)、コンパクトディスク(disc)読み取り専用メモリ（ＣＤ−ＲＯＭ）、または当技術分野において周知の非一時的な記憶媒体の任意の他の形式に属し得る。例示的な記憶媒体は、プロセッサが、記憶媒体から情報を読み出し、および記憶媒体へ情報を書き出すことができるようにプロセッサに結合される。選択的に、記憶媒体は、プロセッサに統合され得る。プロセッサと記憶媒体は、特定用途向け集積回路（ＡＳＩＣ）に属し得る。ＡＳＩＣは、計算デバイスまたはユーザ端末に属し得る。選択的に、プロセッサと記憶媒体は、計算デバイスまたはユーザ端末内のディスクリートコンポーネントに属し得る。
【００７５】
[0079]開示された実施例の前の説明は、開示された実施例を作成または使用することを当業者に可能にするために提供される。これらの実施例対する種々の変更は、当業者にとって容易に明らかであり、およびここで定義された原則は、本開示の範囲から逸脱することなく他の実施例に対して適用され得る。従って、本開示は、ここに示された実施例に限定されるように意図されるものではないが、可能な限り広い範囲を下記の請求項によって定義されるような原則および新規事項に一致させるべきである。
以下に、本願出願の当初の特許請求の範囲に記載された発明を付記する。
[Ｃ１]
装置であって、１６０マイクロ秒の短いフレーム間間隔（ＳＩＦＳ）時間に少なくとも部分的に基づく開始時間に、サブ１ギガヘルツ（ＧＨｚ）ワイヤレスネットワークを介して、フレームを送信するように構成された送信機を備える装置。
[Ｃ２]
前記開始時間は、６マイクロ秒のエア伝搬時間に少なくとも部分的にさらに基づく、請求項１に記載の装置。
[Ｃ３]
前記開始時間は、４０マイクロ秒のクリアチャネルアセスメント（ＣＣＡ）時間に少なくとも部分的にさらに基づく、Ｃ１に記載の装置。
[Ｃ４]
前記開始時間は、６マイクロ秒のエア伝搬時間におよび４０マイクロ秒のクリアチャネルアセスメント（ＣＣＡ）時間に少なくとも部分的にさらに基づく、Ｃ１に記載の装置。
[Ｃ５]
前記送信機は、米国電気電子学会（ＩＥＥＥ）８０２．１１ａｈ標準に準拠する、請求項１に記載の装置。
[Ｃ６]
命令を記憶する非一時的なコンピュータ可読記憶デバイスであって、前記命令は、プロセッサによって実行される時に、短いフレーム間間隔（ＳＩＦＳ）時間に基づく開始時間に、サブ１ギガヘルツ（ＧＨｚ）ワイヤレスネットワークを介して、フレームの送信を開始することを前記プロセッサにさせ、そこにおいて、前記ＳＩＦＳ時間は１６０マイクロ秒である、非一時的なコンピュータ可読記憶デバイス。
[Ｃ７]
前記開始時間はさらに、６マイクロ秒のエア伝搬時間に少なくとも部分的に基づく、請求項６に記載の非一時的なコンピュータ可読記憶デバイス。
[Ｃ８]
前記開始時間はさらに、４０マイクロ秒のクリアチャネルアセスメント（ＣＣＡ）時間に少なくとも部分的に基づく、Ｃ６に記載の非一時的なコンピュータ可読記憶デバイス。
[Ｃ９]
前記開始時間はさらに、４０マイクロ秒のクリアチャネルアセスメント（ＣＣＡ）時間におよび６マイクロ秒のエア伝搬時間に少なくとも部分的に基づく、Ｃ６に記載の非一時的なコンピュータ可読記憶デバイス。
[Ｃ１０]
命令を記憶する非一時的なコンピュータ可読記憶デバイスであって、前記命令は、プロセッサによって実行される時に、クリアチャネルアセスメント（ＣＣＡ）時間に基づく開始時間に、サブ１ギガヘルツ（ＧＨｚ）ワイヤレスネットワークを介して、フレームの送信を開始することを前記プロセッサにさせ、そこにおいて、前記ＣＣＡ時間は４０マイクロ秒である、非一時的なコンピュータ可読記憶デバイス。
[Ｃ１１]
前記開始時間は、短いフレーム間間隔（ＳＩＦＳ）時間にさらに基づき、そこにおいて、前記ＳＩＦＳ時間は１６０マイクロ秒である、Ｃ１０に記載の非一時的なコンピュータ可読記憶デバイス。
[Ｃ１２]
前記開始時間は、６マイクロ秒のエア伝搬時間にさらに基づく、Ｃ１０に記載の非一時的なコンピュータ可読記憶デバイス。
[Ｃ１３]
前記開始時間は、６マイクロ秒のエア伝搬時間におよび短いフレーム間間隔（ＳＩＦＳ）時間にさらに基づき、そこにおいて、前記ＳＩＦＳ時間は１６０マイクロ秒である、請求項１０に記載の非一時的なコンピュータ可読記憶デバイス。
[Ｃ１４]
サブ１ギガヘルツ（ＧＨｚ）ワイヤレスネットワークを介して、フレームを局から送信することを備える方法であって、そこにおいて、前記フレームは、４０マイクロ秒のクリアチャネルアセスメント（ＣＣＡ）時間に少なくとも部分的に基づく開始時間に送信される、方法。
[Ｃ１５]
前記開始時間は、６マイクロ秒のエア伝搬時間に少なくとも部分的にさらに基づく、請求項１２に記載の方法。
[Ｃ１６]
前記開始時間は、１６０マイクロ秒の短いフレーム間間隔（ＳＩＦＳ）時間に少なくとも部分的にさらに基づく、Ｃ１４に記載の方法。
[Ｃ１７]
前記開始時間は、１６０マイクロ秒の短いフレーム間間隔（ＳＩＦＳ）時間におよび６マイクロ秒のエア伝搬時間に少なくとも部分的にさらに基づく、Ｃ１４に記載の方法。
[Ｃ１８]
フレームを生成するための手段と、
１６０マイクロ秒の短いフレーム間間隔（ＳＩＦＳ）時間に少なくとも部分的に基づく開始時間に、サブ１ギガヘルツ（ＧＨｚ）ワイヤレスネットワークを介して、前記フレームを送信するための手段、を備える装置。
[Ｃ１９]
前記フレームを生成するための前記手段はプロセッサを含む、Ｃ１８に記載の装置。
[Ｃ２０]
前記フレームを送信するための前記手段は送信機を含む、Ｃ１８に記載の装置。
【図１】
0006258304.tif 000005
【図２】
0006258304.tif 000006
【図３】
0006258304.tif 000007
【図４】
0006258304.tif 000008